(57)【要約】【課題】柱の側面と柱に直交する梁の側面を重ね合わせて剛接合された、材を水平方向または垂直方向に連続的に延長できる井桁形状の骨組みを複数組み合わせて、立方体または直方体に構築する骨格構造体からなる建築骨組の構築方法により、柱と梁の接合部の溶接や切断加工等の手間を省き、容易に構築できる建築骨組の骨格構造体を構築する。【解決手段】柱２の側面と柱２に直交する上梁３及び下梁４の側面を重ね合わせて剛接合された、材を水平方向または垂直方向に連続的に延長できる、井桁形状の骨組み６を複数組み合わせて、立方体または直方体に構築する骨格構造体１からなる建築骨組を構築する。【選択図】  図１
2006144465.tif 000002
【特許請求の範囲】
【請求項１】
柱の側面と柱に直交する梁の側面を重ね合わせて剛接合された井桁形状の骨組みを複数組み合わせて、立方体または直方体に構築する骨格構造体からなる建築骨組みの構築方法。
【請求項２】
請求項１記載の井桁形状に剛接合された柱と梁は、材を水平方向または垂直方向に連続的に延長できる事を特徴とした請求項１記載の建築骨組みの構築方法。
【発明の詳細な説明】
【技術分野】
【０００１】
この発明は、柱と梁の側面を剛接合して構築する建築骨組みの構築方法に関する。
【背景技術】
【０００２】
従来の建築骨組みの構築方法は、特公昭６３−５１２２６号に開示されるユニット住宅がある。このユニット住宅の骨格構造体は、柱の側面と複数本の梁の端部を剛接合して、ロ形形状の骨組みを複数組み合わせて、直方体の骨格構造体を構築するものである。
【特許文献１】特公昭６３−５１２２６号
【発明の開示】
【発明が解決しようとする課題】
【０００３】
しかし、上記従来技術は、柱の側面と複数本の梁の端部を剛接合したロ形形状の骨組みを複数組み合わせて直方体の骨格構造体を構築するため、剛接合部の溶接や切断加工等に手間がかかる。また、直方体の骨格構造体を形成するために用いられる梁や柱は裁断長さのばらつきや斜め切れがあること、柱と梁の接合が正確に所定の接合位置で行われ難く、また梁と柱が直接溶接されると熱歪みも発生するから、構築される直方体の骨格構造体が強度的に劣りあるいは歪んだものとなるという問題点がある。このため、材を接合位置から水平方向または垂直方向に連続的に延長することは容易でない。
【課題を解決するための手段】
【０００４】
この発明の建築骨組みの構築方法は、柱の側面と柱に直交する梁の側面を重ね合わせて剛接合された、材を水平方向または垂直方向に連続的に延長できる、井桁形状の骨組みを複数組み合わせて、立方体または直方体に構築する骨格構造体からなる建築骨組を構築するものである。
【発明の効果】
【０００５】
上記手段によると、柱の側面と柱に直交する梁の側面を重ね合わせて剛接合することによって骨格構造体からなる建築骨組を構築することができる。柱の側面と柱に直交する梁の側面を重ね合わせる接合部品による剛接合のため、柱と梁の剛接合部の加工が簡単で溶接により発生する問題がない。また、材の中間部にある柱の側面と柱に直交する梁の側面にある剛接合位置において、柱と梁の接合が正確に行うことができ、材を水平方向または垂直方向に連続的に延長できる。
【発明を実施するための最良の形態】
【０００６】
以下、本発明の実施の形態を図１〜図１４に基づいて説明する。
【実施例１】
【０００７】
この実施例の骨格構造体１からなる建築骨組の構築方法は、図１に最もよく現れているように、２本の柱２の上下それぞれに上梁３及び下梁４を、図２のように柱２と上梁３及び下梁４の側面を重ね合わせて剛接合された図３の井桁形状の骨組み６を複数組み合わせて、立方体または直方体に構築する骨格構造体１からなる建築骨組を構築するものである。
【０００８】
図２に示すように、柱２の側面と柱２に直交する上梁３及び下梁４の側面を、柱２と上梁３及び下梁４の側面を重ね合わせる剛接合により、図３の井桁形状の骨組み６を構築する。
【０００９】
図３の井桁形状の骨組み６を複数組み合わせて、立方体または直方体に構築する骨格構造体１の構築方法は、図１に示すように、柱２の側面と柱２に直交する上梁３及び下梁４の側面にある剛接合の位置から、水平方向に連続的に延長した上梁３及び下梁４の両端の接合により行う。
【００１０】
上記の構築方法からなる骨格構造体１は、柱２の側面と柱２に直交する下梁４の側面にある剛接合の位置から、垂直下方向に連続的に延長した柱２の下端にて基礎５に固定される。
【００１１】
図７はこの発明の他の実用例を示す。骨格構造体１の上梁３及び下梁４の相対する一組を水平方向に連続的に延長し、柱２と上梁３及び下梁４の側面を重ね合わせて剛接合することにより９０度回転した日形形状の骨組み７を構築し、９０度回転した日形形状の骨組み７と井桁形状の骨組み６を複数組み合わせて、横長の直方体の骨格構造体８からなる建築骨組を構築するものである。
【００１２】
図１０はこの発明のさらに他の実用例を示す。骨格構造体１の柱２を垂直上方に連続的に延長し、柱２と最上梁３ａの側面を重ね合わせて剛接合することにより、日形形状の骨組み９を構築し、日形形状の骨組み９を複数組み合わせて、縦長の直方体の骨格構造体１０からなる建築骨組を構築するものである。
【００１３】
図１３は前記実施例において、柱２と上梁３、最上梁３ａ及び下梁４の材質に金属を使用した場合の剛接合の一例である。予めボルト孔７を明けた柱２及び下梁４の側面を重ね合わせ、複数のボルト８で接合することにより、柱２と下梁４を剛接合するものである。柱２と上梁３および最上梁３ａの剛接合も図１３の例と同様に行う。
【００１４】
図１４は前記実施例において、柱２と上梁３及、最上梁３ａび下梁４の材質に木質系材料を使用した場合の剛接合の一例である。予めボルト孔７を明けた金属の接合部品９を、予めボルト８の締め付け用の孔１０を明けた柱２及び下梁４の側面に接着剤などで固着し、柱２及び下梁４の側面を重ね合わせ複数のボルト８で接合部品９を接合することにより、柱２と下梁４を剛接合するものである。柱２と上梁３および最上梁３ａの剛接合も図１４の例と同様に行う。
【産業上の利用可能性】
【００１５】
前記実施例において、柱と梁の材質に柱と梁の剛接合部の溶接や加工が難しい軽金属、合成樹脂、セラミック、炭素繊維強化樹脂等の樹脂系複合材料を用いた構造物の用途に適用できる。
【００１６】
前記実施例における建築骨組みの構築方法により構築される骨格構造体は、複数の下梁４で囲まれる部分に床、複数の上梁３で囲まれる部分にに屋根、下梁と上梁の間に壁を設けることにより、高床式の建築の用途に適用できる。例えば、図１５に示す、トラック１５からの荷物の搬入、搬出を容易とする高床式の倉庫１６の用途に適用できる。
【００１７】
前記実施例における建築骨組みの構築方法により構築される骨格構造体は、ユニット建築、ユニット住宅、ユニットトイレ、ユニット倉庫の用途に適用できる。
【図面の簡単な説明】
【００１８】
【図１】本発明の実用例における建築骨組みの構築方法による骨格構造体斜視図
【図２】図１の骨格構造体に用いる井桁形状の骨組みの構築方法説明図
【図３】図１の骨格構造体に用いる井桁形状の骨組み斜視図
【図４】図１の正面図
【図５】図７の骨格構造体に用いる９０度回転した日形形状の骨組みの構築方法説明図
【図６】図７の骨格構造体に用いる９０度回転した日形形状の骨組み斜視図
【図７】本発明の他の実用例における建築骨組みの構築方法による横長の直方体の骨格構造体斜視図
【図８】図７の正面図
【図９】図１１の骨格構造体に用いる日形形状の骨組みの構築方法説明図
【図１０】図１１の骨格構造体に用いる日形形状の骨組み斜視図
【図１１】本発明のさらに他の実用例における建築骨組みの構築方法による縦長の直方体の骨格構造体斜視図
【図１２】図１１の正面図
【図１３】柱と梁の材質に金属を使用した場合の柱と梁の剛接合説明図
【図１４】柱と梁の材質に木質系材料を使用した場合柱と梁の剛接合説明図
【図１５】高床式の倉庫の説明図
【符号の説明】
【００１９】
１  骨格構造体
２  柱
３  上梁
３ａ  最上梁
４  下梁
５  基礎
６  井桁形状の骨組み
７  ９０度回転した日形形状の骨組み
８  横長の直方体の骨格構造体
９  日形形状の骨組み
１０  縦長の直方体の骨格構造体
１１  ボルト孔
１２  ボルト
１３  接合部品
１４  ボルト１２の締め付け用の孔
１５  トラック
１６  高床式の倉庫
【図１】
2006144465.tif 000003
【図２】
2006144465.tif 000004
【図３】
2006144465.tif 000005
【図４】
2006144465.tif 000006
【図５】
2006144465.tif 000007
【図６】
2006144465.tif 000008
【図７】
2006144465.tif 000009
【図８】
2006144465.tif 000010
【図９】
2006144465.tif 000011
【図１０】
2006144465.tif 000012
【図１１】
2006144465.tif 000013
【図１２】
2006144465.tif 000014
【図１３】
2006144465.tif 000015
【図１４】
2006144465.tif 000016
【図１５】
2006144465.tif 000017